(57)【要約】      （修正有）【課題】釜内における流体の流量を制御する新型バルブ装置を提供する。【解決手段】内釜１を備え、内釜の内壁の底部に内釜排水口２が設けられ、内釜の底部にバルブ装置が固設され、バルブ装置には内釜から離れている片側に押圧プレート４が接続され、バルブ装置はバルブ固定部品３１を備え、バルブ固定部品の頂部に内釜排水口と合わせるバルブ貫通穴３２が設けられ、バルブ固定部品の片側に密封穴３３が設けられ、バルブ貫通穴と、密封穴は、互いに連通しているとともに、密封穴の一端の内壁に密封押圧ブロック３４が接続され、密封穴の内壁に押し棒３５がスライドして接続され、押し棒には密封押圧ブロックから離れている一端にプッシュプル部品３６が挿入されて固設され、プッシュプル部品の頂部に補強押圧ブロック３７が取り付けられ、プッシュプル部品の底部に磁石３８が取り付けられ、押し棒には密封押圧ブロックから離れている一端に補強押圧ブロック及び磁石と合わせる位置規制溝３９が設けられる。【選択図】図１
0003221038.tif 000002
【実用新案登録請求の範囲】
【請求項１】
内釜（1）を備え、前記内釜（1）の内壁の底部に内釜排水口（2）が設けられ、前記内釜（1）の底部にバルブ装置（3）が固設され、前記バルブ装置（3）には内釜（1）から離れている片側に押圧プレート（4）が接続され、
前記バルブ装置（3）はバルブ固定部品（31）を備え、前記バブル固定部品（31）の頂部に内釜排水口（2）と合わせるバルブ貫通穴（32）が設けられ、前記バルブ固定部品（31）の片側に密封穴（33）が設けられ、前記密封穴（33）の一端の内壁に密封押圧ブロック（34）が接続され、前記密封穴（33）の内壁に押し棒（35）がスライドして接続され、前記押し棒（35）には密封押圧ブロック（34）から離れている一端にプッシュプル部品（36）が挿入されて固設され、前記プッシュプル部品（36）の頂部に補強押圧ブロック（37）が取り付けられ、前記プッシュプル部品（36）の底部に磁石（38）が取り付けられ、前記押し棒（35）には密封押圧ブロック（34）から離れている一端に補強押圧ブロック（37）及び磁石（38）と合わせる位置規制溝（39）が設けられることを特徴とする釜内における流体の流量を制御する新型バルブ装置。
【請求項２】
前記押圧プレート（4）がボルトを介して内釜（1）の底部に固設されていることを特徴とする請求書１に記載の釜内における流体の流量を制御する新型バルブ装置。
【請求項３】
前記押圧プレート（4）に内釜排水口（2）と合わせる配合穴が設けられることを特徴とする請求書１に記載の釜内における流体の流量を制御する新型バルブ装置。
【請求項４】
前記バルブ固定部品（31）が内釜（1）の底部に固設されていることを特徴とする請求書３に記載の釜内における流体の流量を制御する新型バルブ装置。
【請求項５】
前記押圧プレート（4）が強磁性体により作られたものであり、前記磁石（38）によりプッシュプル部品（36）に磁性を発生させて且つプッシュプル部品（36）を押圧プレート（4）に吸着させることを特徴とする請求書１に記載の釜内における流体の流量を制御する新型バルブ装置。
【請求項６】
前記バルブ貫通穴（32）が密封穴（33）と直交していることを特徴とする請求書１に記載の釜内における流体の流量を制御する新型バルブ装置。
【考案の詳細な説明】
【技術分野】
【０００１】
本考案は炊事道具の分野に関し、特に釜内における流体の流量を制御する新型バルブ装置に関する。
【背景技術】
【０００２】
炊事道具はご飯を作るための器具、器物であり、中国の現代漢語の中で、白話の語彙であり、古代であまり使われていないが、使用頻度が結構高い現代漢語の語彙である。釜を作る金属材料の範囲は非常に狭く、食べ物の味が変わらないように、釜に対して良好な熱伝導性能の他、安定的な化学性能を持つことも求められている。しかし、多くの金属は優れた熱伝導性能を持っているが、化学性能が不安定のため、食べ物を加工するのに適していない。ただし、いくつかの状況では、まず不安定な金属材料で釜を作った後、安定的な材料でメッキする場合もある。アルミニウムは良好な熱伝導性能を持つ金属であり、錆が付かなくて且つ多くの腐食に対する抵抗性があるが、アルミ缶がいくつかの酸性食品と接触すれば、食べ物の味を変えてしまい、もしアスパラガスとか、アーチチョークのような野菜を盛ると、陽極酸化ではないアルミニウムの酸化を引き起こすことになる。1965年から、間接的な証拠により認知症をアルミニウムと結びつけたが、今までアルミニウムによりこのような病気を引き起こした証拠が発見されていない。鉄鋳の炊事道具は加熱が遅いが、一旦温度が上昇すると、高温に耐えられ、灼熱の温度で加熱するには理想的な釜である。反応性材料の一つとして、酸性の高い食べ物（お酒とか、トマトとか）と接触すれば化学反応が起こりやすく、それ以外に、いくつかの食べ物、例えばほうれん草を赤鋳鉄の上で料理すると黒くなる。今市販されている関連炊事道具のバルブの各部品が加熱部品に分散されて固定されているため、加熱後のバルブの各部品が膨張の影響を受けて開閉が不調になりやすいという課題がある。
【考案の概要】
【考案が解決しようとする課題】
【０００３】
上記に言及した技術の不足に対して、本考案は釜内における流体の流量を制御する新型バルブ装置を提供することを目的とし、今市販されている関連炊事道具のバルブの各部品が加熱部品に分散されて固定されているため、加熱後のバルブの各部品が膨張の影響を受けて開閉が不調になりやすいという課題を解決することができる。
【課題を解決するための手段】
【０００４】
以上の目的を実現するために、本考案の使用する技術的な解決方案は以下の通りである。
釜内における流体の流量を制御する新型バルブ装置であって、それは内釜を備え、前記内釜の内壁の底部に内釜排水口が設けられ、前記内釜の底部にバルブ装置が固設され、前記バルブ装置には内釜から離れている片側に押圧プレートが接続され、前記バルブ装置はバルブ固定部品を備え、前記バブル固定部品の頂部に内釜排水口と合わせるバルブ貫通穴が設けられ、前記バルブ固定部品の片側に密封穴が設けられ、前記密封穴の一端の内壁に密封押圧ブロックがスライドして接続され、前記密封穴の内壁に押し棒がスライドして接続され、前記押し棒には密封押圧ブロックから離れている一端にプッシュプル部品が挿入されて固設され、前記プッシュプル部品の頂部に補強押圧ブロックが取り付けられ、前記プッシュプル部品の底部に磁石が取り付けられ、前記押し棒には密封押圧ブロックから離れている一端に補強押圧ブロック及び磁石と合わせる位置規制溝が設けられる。
【０００５】
好ましくは、前記押圧プレートがボルトを介して内釜の底部に固設されている。
【０００６】
好ましくは、前記押圧プレートに内釜排水口、バルブの貫通穴と合わせる配合穴が設けられる。
【０００７】
好ましくは、前記バルブ固定部品が内釜の底部に固設されている。
【０００８】
好ましくは、前記押圧プレートが強磁性体により作られたものであり、前記磁石によりプッシュプル部品に磁石を発生させて且つプッシュプル部品を押圧プレートに吸着させる。
【０００９】
好ましくは、前記貫通穴が密封穴と直交している。
【考案の効果】
【００１０】
本考案は、釜内における流体の流量を制御する新型バルブ装置を提供し、有益な効果は以下の通りである。
（1）釜内における流体の流量を制御する新型バルブ装置であって、内釜の内壁の底部に内釜排水口が設けられ、前記内釜の底部にバルブ装置が固設され、前記バルブ装置には内釜から離れている片側に押圧プレートが接続され、前記押圧プレートがボルトを介して内釜の底部に固設され、前記押圧プレートに内釜排水口、バルブ貫通穴と合わせる配合穴が設けられることにより、バルブの部品を内釜と分離させ、熱膨張の影響を受けにくく、熱膨張により開閉が不調になることを避けることが可能になる。
（2）釜内における流体の流量を制御する新型バルブ装置であって、バルブ装置はバルブ固定部品を備え、前記バルブ固定部品の頂部に内釜排水口と合わせるバルブ貫通穴が設けられ、前記バルブ固定部品の片側に密封穴が設けられ、前記密封穴の一端の内壁に密封押圧ブロックが接続され、前記密封穴の内壁に押し棒がスライドして接続され、前記押し棒には密封ブロックから離れている一端にプッシュプル部品が挿入されて固設され、前記プッシュプル部品の頂部には補強押圧ブロックが取り付けられ、前記プッシュプル部品の底部には磁石が取り付けられ、プッシュプル部品を押す・引くことだけで、バルブの開閉を実現する可能であり、構造がシンプルで、操作がしやすい目的を実現する。
【図面の簡単な説明】
【００１１】
【図１】本考案の分解図である。
【図２】本考案におけるバルブが閉まる時を示す図である。
【図３】本考案におけるバルブが開く時を示す図である。
【考案を実施するための形態】
【００１２】
以下、本考案の実施例における図面と合わせて、本考案の実施例における技術手段について具体的に説明する、もちろん、以下説明する実施例は本考案の一部の実施例に過ぎず、全部の実施例というわけではない。本考案の実施例に鑑みて、本技術分野の当業者が本考案の原理から逸脱しない前提において得たすべて他の実施例は、本考案の保護範囲に属する。
【００１３】
図面１−３をご参照ください、本考案の使用する技術的な解決方案は以下の通りである。釜内における流体の流量を制御する新型バルブ装置であって、それは内釜1を備え、内釜1の内壁の底部に内釜排水口2が設けられ、内釜1の底部にバルブ装置3が固設されることにより、内釜1の中の温度がバルブ部品へ伝導してバルブ部品の形状に影響することを避けられ、スムーズなバルブの開閉を保証する、また、バルブ装置3には内釜１から離れている片側に押圧プレート4が接続される。
【００１４】
バルブ装置3はバルブ固定部品31を備え、バブル固定部品31の頂部に内釜排水口2と合わせるバルブ貫通穴32が設けられ、バルブ固定部品31の片側に密封穴33が設けられ、密封穴33の一端の内壁に密封押圧ブロック34が接続され、バルブの開閉を制御しやすくために、密封穴33の一端の内壁に押し棒35がスライドして接続され、押し棒35には密封押圧ブロック34から離れている一端にプッシュプル部品36が挿入されて固設され、前記プッシュプル部品36の頂部に補強押圧ブロック37が取り付けられ、前記プッシュプル部品36の底部に磁石38が取り付けられ、前記押し棒35には密封押圧ブロック34から離れている一端に補強押圧ブロック37及び磁石38と合わせる位置規制溝39が設けられる。
【００１５】
押圧プレート4がボルトを介して内釜1の底部に固設されている。
【００１６】
押圧プレート4に内釜排水口２、バルブ貫通穴32と合わせる配合穴が設けられる。
【００１７】
バルブ固定部品31が内釜1の底部に固設されている。
【００１８】
押圧プレート4が強磁性体により作られたものであり、磁石38を介して、プッシュプル部品36に磁性を発生させて且つプッシュプル部品36を押圧プレート4に吸着させる。
【００１９】
バルブ貫通穴32が密封穴33と直交している。
【実施例】
【００２０】
使用する時、まず磁石38を介して、プッシュプル部品36を押圧プレート4に吸着させて、プッシュプル部品36を引っ張って、位置規制溝39と連係する補強押圧ブロック及び磁石8を介して、プッシュプル部品36は押し棒35を動かせて且つ密封穴33とバルブ貫通穴32の内部から滑り出せて、内釜1のおける流体が重力の作用により内釜排水口2及びバルブ貫通穴32からなる直通チャンネルから流れ出て、バルブを閉める時、プッシュプル部品を押して、位置規制溝39と連係する補強押圧ブロック及び磁性8を介して、プッシュプル部品36は押し棒35を動かせて密封穴33に挿入させて貫通穴32を閉鎖する。
【００２１】
説明すべきなのは、本明細書において、例えば第一及び第二のような関係用語は、一つの実体または操作を別の実体または操作と区分するために用いられるものであり、これらの実体又は操作の間に、いかなる実際の関係や順序が存在することを要求又は暗示していない。それに、専門用語の“含む”、“含有”またはそのいかなる他の変化は、非排他的な含有を網羅することを意味する。従って、一連の要素を含む過程、方法、物品または装置がそれらの要素を含むだけではなく、かつ明確に列挙されていないその他の要素をさらに含み、またはこの種類の過程、方法、物品または装置の固有の要素をさらに含んでいる。もっと多くに制限されない場合は、「一つの・・・限定要素を含む」といった文言により、要素を含む過程、方法、物品、又は装置に他の同じ要素が存在することを排除しない。
【００２２】
本明細書に具体的な個別事例を応用して本実用新案の原理及び実施方式を説明したが、本技術分野の当業者にとって、本発明の原理及び精神から逸脱しない前提において、さらにいくつかの改善、修正または変化を実施できる。本実用新案の保護範囲は添付の実用新案の請求範囲及びそれと同じものによって限定される。
【符号の説明】
【００２３】
1  内釜
2  内釜排水口
3  バルブ装置
4  押圧プレート
31  バルブ固定部品
32  バルブ貫通穴
33  密封穴
34  密封押圧ブロック
35  押し棒
36  プッシュプル部品
37  補強押圧ブロック
38  磁石
39  位置規制溝
【図１】
0003221038.tif 000003
【図２】
0003221038.tif 000004
【図３】
0003221038.tif 000005
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
内釜（1）を備え、前記内釜（1）の内壁の底部に内釜排水口（2）が設けられ、前記内釜（1）の底部にバルブ装置（3）が固設され、前記バルブ装置（3）には内釜（1）から離れている片側に押圧プレート（4）が接続され、
前記バルブ装置（3）はバルブ固定部品（31）を備え、前記バブル固定部品（31）の頂部に内釜排水口（2）と合わせるバルブ貫通穴（32）が設けられ、前記バルブ固定部品（31）の片側に密封穴（33）が設けられ、前記密封穴（33）の一端の内壁に密封押圧ブロック（34）が接続され、前記密封穴（33）の内壁に押し棒（35）がスライドして接続され、前記押し棒（35）には密封押圧ブロック（34）から離れている一端にプッシュプル部品（36）が挿入されて固設され、前記プッシュプル部品（36）の頂部に補強押圧ブロック（37）が取り付けられ、前記プッシュプル部品（36）の底部に磁石（38）が取り付けられ、前記押し棒（35）には密封押圧ブロック（34）から離れている一端に補強押圧ブロック（37）及び磁石（38）と合わせる位置規制溝（39）が設けられることを特徴とする釜内における流体の流量を制御する新型バルブ装置。
【請求項２】
前記押圧プレート（4）がボルトを介して内釜（1）の底部に固設されていることを特徴とする請求項１に記載の釜内における流体の流量を制御する新型バルブ装置。
【請求項３】
前記押圧プレート（4）に内釜排水口（2）と合わせる配合穴が設けられることを特徴とする請求項１に記載の釜内における流体の流量を制御する新型バルブ装置。
【請求項４】
前記バルブ固定部品（31）が内釜（1）の底部に固設されていることを特徴とする請求項３に記載の釜内における流体の流量を制御する新型バルブ装置。
【請求項５】
前記押圧プレート（4）が強磁性体により作られたものであり、前記磁石（38）によりプッシュプル部品（36）に磁性を発生させて且つプッシュプル部品（36）を押圧プレート（4）に吸着させることを特徴とする請求項１に記載の釜内における流体の流量を制御する新型バルブ装置。
【請求項６】
前記バルブ貫通穴（32）が密封穴（33）と直交していることを特徴とする請求項１に記載の釜内における流体の流量を制御する新型バルブ装置。
【手続補正書】
【提出日】平成31年2月15日(2019.2.15)
【手続補正１】
【補正対象書類名】実用新案登録請求の範囲
【補正対象項目名】全文
【補正方法】変更
【補正の内容】
【実用新案登録請求の範囲】
【請求項１】
内釜（1）を備え、前記内釜（1）の内壁の底部に内釜排水口（2）が設けられ、前記内釜（1）の底部にバルブ装置（3）が固設され、前記バルブ装置（3）には内釜（1）から離れている片側に押圧プレート（4）が接続され、
前記バルブ装置（3）はバルブ固定部品（31）を備え、前記バルブ固定部品（31）の頂部に内釜排水口（2）と合わせるバルブ貫通穴（32）が設けられ、前記バルブ固定部品（31）の片側に密封穴（33）が設けられ、前記バルブ貫通穴(32)と、前記密封穴(33)は、互いに連通しているとともに、前記密封穴（33）の一端の内壁に密封押圧ブロック（34）が接続され、前記密封穴（33）の内壁に押し棒（35）がスライドして接続され、前記押し棒（35）には密封押圧ブロック（34）から離れている一端にプッシュプル部品（36）が挿入されて固設され、前記プッシュプル部品（36）の頂部に補強押圧ブロック（37）が取り付けられ、前記プッシュプル部品（36）の底部に磁石（38）が取り付けられ、前記押し棒（35）には密封押圧ブロック（34）から離れている一端に補強押圧ブロック（37）及び磁石（38）と合わせる位置規制溝（39）が設けられることを特徴とする釜内における流体の流量を制御する新型バルブ装置。
【請求項２】
前記押圧プレート（4）がボルトを介して内釜（1）の底部に固設されていることを特徴とする請求項１に記載の釜内における流体の流量を制御する新型バルブ装置。
【請求項３】
前記押圧プレート（4）に内釜排水口（2）と合わせる配合穴が設けられることを特徴とする請求項１に記載の釜内における流体の流量を制御する新型バルブ装置。
【請求項４】
前記バルブ固定部品（31）が内釜（1）の底部に固設されていることを特徴とする請求項３に記載の釜内における流体の流量を制御する新型バルブ装置。
【請求項５】
前記押圧プレート（4）が強磁性体により作られたものであり、前記磁石（38）によりプッシュプル部品（36）に磁性を発生させて且つプッシュプル部品（36）を押圧プレート（4）に吸着させることを特徴とする請求項１に記載の釜内における流体の流量を制御する新型バルブ装置。
【請求項６】
前記バルブ貫通穴（32）が密封穴（33）と直交していることを特徴とする請求項１に記載の釜内における流体の流量を制御する新型バルブ装置。